(57)【要約】【課題】時計用裏蓋における段差部で囲まれた空間を有効に利用することがででき、審美性が向上した時計を提供すること。【解決手段】時計１は、全体または一部が実質的に透明な裏板６と、裏板６を保持し、裏板６の内面６１の縁部が当接する段差部８２が内周部８１に形成されている保持枠８とを有する時計用裏蓋５と、回転により、駆動するエネルギを蓄積するための回転錘９を有するムーブメント３とを備えている。回転錘９には、裏板６を介して視認される回転錘装飾部１０が設けられており、この回転錘装飾部１０は、回転錘９の回転とともに、裏板６の内面６１側の段差部８２で囲まれる空間５２内を回転する。【選択図】図２
2006038713.tif 000002
【特許請求の範囲】
【請求項１】
全体または一部が実質的に透明な板状体と、該板状体を保持し、前記板状体の内面の縁部が当接する段差部が内周部に形成されている保持枠とを有する時計用裏蓋と、
回転により、駆動するエネルギを蓄積するための回転錘を有するムーブメントとを備え、
前記回転錘には、前記板状体を介して視認される第１の装飾部が設けられ、
前記第１の装飾部は、前記回転錘の回転とともに、前記板状体の前記内面側の前記段差部で囲まれる空間内を回転することを特徴とする時計。
【請求項２】
前記第１の装飾部は、別体を前記回転錘に固着することにより形成され、前記回転錘の外面から突出している請求項１に記載の時計。
【請求項３】
前記第１の装飾部は、板状の本体と、該本体に加工を施してなる加工部とで構成されている請求項１または２に記載の時計。
【請求項４】
前記本体は、金属、プラスチック、貝殻、ガラス、木材および紙のいずれかの材料で構成されている請求項３に記載の時計。
【請求項５】
前記加工部には、文字、記号および図形の少なくとも１つが形成されている請求項３または４に記載の時計。
【請求項６】
前記加工部は、エッチング、レーザ、彫刻、印刷、蒸着およびシート状体の貼付のいずれかによって加工されている請求項３ないし５のいずれかに記載の時計。
【請求項７】
前記板状体の前記内面側には、該板状体を介して視認される第２の装飾部を有する請求項１ないし６のいずれかに記載の時計。
【請求項８】
前記第２の装飾部は、前記板状体の前記内面側の前記段差部で囲まれる空間内に位置している請求項７に記載の時計。
【発明の詳細な説明】
【技術分野】
【０００１】
本発明は、時計に関する。
【背景技術】
【０００２】
従来の時計には、内蔵されているムーブメントを視認することができるようにしたり、内蔵されている太陽電池に光を照射可能にしたりするために、光透過性を有する板状体（例えば、ガラス板）を時計用裏蓋に備えたものが知られている（例えば、特許文献１参照）。
このような時計の時計用裏蓋では、前記板状体を設置するとき、当該板状体を保持する保持枠の内周部に、板状体の内面の縁部に当接する段差部を設ける必要がある。この段差部が設けられたことにより、時計内には、段差部で囲まれた空間が形成されることとなる。特に、裏蓋以外の部品（例えば、胴部、中枠、ムーブメント、文字板など）を共通使用する場合には、時計の総厚が段差部の厚さの分以上に厚くなってしまっていた。
しかしながら、このような空間は有効に利用されず、例えば図１４に示す時計の空間５０１のように、無駄になっていた（例えば、特許文献２参照）。
【０００３】
【特許文献１】特開平９−５４５０号公報
【特許文献２】特開２００２−１３９５８０号公報
【発明の開示】
【発明が解決しようとする課題】
【０００４】
本発明の目的は、時計用裏蓋における段差部で囲まれた空間を有効に利用することができ、審美性が向上すると共に駆動エネルギの蓄積を向上させることができる時計を提供することにある。
【課題を解決するための手段】
【０００５】
このような目的は、下記の本発明により達成される。
本発明の時計は、全体または一部が実質的に透明な板状体と、該板状体を保持し、前記板状体の内面の縁部が当接する段差部が内周部に形成されている保持枠とを有する時計用裏蓋と、
回転により、駆動するエネルギを蓄積するための回転錘を有するムーブメントとを備え、
前記回転錘には、前記板状体を介して視認される第１の装飾部が設けられ、
前記第１の装飾部は、前記回転錘の回転とともに、前記板状体の前記内面側の前記段差部で囲まれる空間内を回転することを特徴とする。
これにより、時計用裏蓋における段差部で囲まれた空間を有効に利用することができ、審美性が向上した時計を提供することができる。
【０００６】
本発明の時計では、前記第１の装飾部は、別体を前記回転錘に固着することにより形成され、前記回転錘の外面から突出していることが好ましい。
これにより、時計用裏蓋における段差部で囲まれた空間をより有効に利用することができ、時計の審美性をより向上させることができる。
本発明の時計では、前記第１の装飾部は、板状の本体と、該本体に加工を施してなる加工部とで構成されていることが好ましい。
これにより、第１の装飾部を容易に形成することができる。
【０００７】
本発明の時計では、前記本体は、金属、プラスチック、貝殻、ガラス、木材および紙のいずれかの材料で構成されていることが好ましい。
これにより、本体を容易に形成することができる。
本発明の時計では、前記加工部には、文字、記号および図形の少なくとも１つが形成されていることが好ましい。
これにより、時計の審美性をより向上させることができる。
【０００８】
本発明の時計では、前記加工部は、エッチング、レーザ、彫刻、印刷、蒸着およびシート状体の貼付のいずれかによって加工されていることが好ましい。
これにより、加工部を容易に加工（形成）することができる。
本発明の時計では、前記板状体の前記内面側には、該板状体を介して視認される第２の装飾部を有することが好ましい。
これにより、時計の審美性をより向上させることができる。
本発明の時計では、前記第２の装飾部は、前記板状体の前記内面側の前記段差部で囲まれる空間内に位置していることが好ましい。
これにより、時計用裏蓋における段差部で囲まれた空間をより有効に利用することができる。
【発明の効果】
【０００９】
本発明によれば、時計用裏蓋における段差部で囲まれた空間を有効に利用することができ、審美性が向上すると共に駆動エネルギの蓄積を向上させることができる時計を提供することができる。
【発明を実施するための最良の形態】
【００１０】
以下、本発明の時計を添付図面に示す好適な実施形態に基づいて詳細に説明する。なお、本実施形態では、本発明の時計を腕時計に適用した場合の実施形態となっている。
＜第１実施形態＞
図１は、本発明の時計（第１実施形態）を適用した腕時計の斜視図、図２は、図１中のＡ−Ａ線断面図、図３（Ａ）および（Ｂ）は、それぞれ、図２に示す回転錘の斜視図、および図３（Ａ）中のＢ−Ｂ線断面図、図４は、図１に示す腕時計を時計用裏蓋側から眺めた図（下面図）、図５〜図１０は、それぞれ、図３（Ｂ）中の二点鎖線で囲まれた領域［Ａ］の拡大詳細図（装飾部の構成例を示す断面図）である。なお、以下では、説明の都合上、図１および図２の上側を「上」または「上方」、下側を「下」または「下方」と言う。また、図３、図５〜図１０の上側を「外」または「外側」、下側を「内」または「内側」と言う。
【００１１】
図１および図２に示すように、機械式腕時計（時計）１（以下、単に「時計」という）は、外装部（ケース）２と、外装部２の内部に設置（収納）され、時計用針３１を駆動するムーブメント３と、時計１を腕に装着する際に用いられるバンド４とを備えている。
図１（図２）に示すように、外装部２は、胴部２３と、ガラス板（カバーガラス）２１と、ガラス板２１を保持するベゼル２２と、胴部２３の裏側に設置される時計用裏蓋５（以下、単に「裏蓋」という）とを有している。
【００１２】
図２に示す胴２３には、巻真パイプ２６が嵌入され、この巻真パイプ２６に、りゅうず２４が回転可能に設けられている。りゅうず２４を回転させることにより、そのトルクがシャフト２７を介して、ムーブメント３に伝わる。これにより、時計用針３１を調整することができる、すなわち、表示する時刻を調整することができる。
胴２３とベゼル２２とは、互いにプラスチックパッキン２８により固定され、ベゼル２２とガラス板２１とは、互いにプラスチックパッキン２９により固定されている。
【００１３】
また、胴２３に対し裏蓋５が嵌合（または螺合）されており、これらの接合部（シール部）５０には、リング状のゴムパッキン（裏蓋パッキン）４０が圧縮状態で介挿されている。この構成によりシール部５０が液密に封止され、防水機能が得られる（図２参照）。
図２に示す裏蓋５は、裏板（板状体）６と、該裏板６を保持する裏板保持枠（保持枠）８（以下、単に「保持枠」という）とを備えている。
【００１４】
裏板６は、その全体が実質的に透明なものである。ここで、「実質的に透明」とは、可視光の透過度が８５％以上程度の透明性を有するものをいう。また、「実質的に透明」には、無色透明の他、有色（着色）透明も含まれる。また、この裏板６は、その形状が円板状をなしている。
裏板６の好ましい構成材料としては、例えば、ガラス、プラスチックまたはそれらの複合材料が挙げられる。そのガラスの具体例としては、無アルカリガラス、ソーダガラス、結晶性ガラス、石英ガラス、鉛ガラス、カリウムガラス、ホウ珪酸ガラス等が挙げられる。
【００１５】
また、前記プラスチックの具体例としては、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうちの１種または２種以上を組み合わせて用いることができる。
【００１６】
このような構成の裏板６により、例えば、ムーブメント３、後述する回転錘９および回転錘装飾部（第１の装飾部）１０が裏板６を通して（介して）視認される。また、時計１の審美性（美的外観）が得られる。
図２に示すように、保持枠８は、その形状がリング状をなしており、内周部８１に段差部８２を有している。この段差部８２は、内周部８１の内径より縮径して、内周部８１の内周８１１に沿って形成されている。すなわち、段差部８２は、形状がリング状をなしており、内周部８１に形成されている。また、段差部８２の下面には、裏板６の上面（内面）の縁部が当接している。また、段差部８２の下面の下側には、圧縮状態のリング状のプラスチックパッキン５１が設けられ、このプラスチックパッキン５１を介して裏板６が保持枠８に固定されている。これにより、保持枠８と裏板６との隙間が液密に封止され、防水機能が得られる。
【００１７】
なお、保持枠８の構成材料としては、特に限定されないが、例えば、各種金属材料や各種プラスチック等を単独または組み合わせて用いることができる。
また、保持枠８の下面と段差部８２の下面との距離は、裏板６の厚さとほぼ同等またはそれより若干小さいのが好ましい。
また、ムーブメント３は、形状がリンク状の中枠２５を介して、外装部２に固定されている（図２参照）。これにより、ムーブメント３は、外装部２に対して、径方向（図１中のガラス板２１の面方向）および上下方向のそれぞれに位置決めされる。
【００１８】
図２に示すように、ムーブメント３の下側には、回転錘（ロータ）９が回転可能に設置されている。この回転錘９は、時計１（時計用針３１）が駆動するエネルギ（以下、「駆動エネルギ」と言う）を蓄積するためのものである。ムーブメント３は、回転錘９が回転（回動）することにより、ムーブメント３に設けられたエネルギ蓄積部（図示せず）に駆動エネルギが蓄積されるよう構成されている。
【００１９】
なお、エネルギの蓄積方法としては、特に限定されず、例えば、ぜんまい式（機械式）、コンデンサ式（電気式）等が挙げられる。
図３（Ａ）に示すように、回転錘９は、扇状の板状体である扇状板９１と、扇状板９１の外側縁部に設けられた円弧状の円弧状部９２とを有している。扇状板９１は、扇の要に該当する部分に、ムーブメント３に設置された回転軸３２と嵌合する軸受（軸孔）９３を有している。
このような構成の回転錘９は、軸受９３を中心として回転する。
【００２０】
扇状板９１は、特に限定されないが、比較的比重の小さい材料とすると共に薄板で構成（形成）されるのが好ましい。
また、円弧状部９２は、特に限定されないが、比較的比重の大きい材料、例えばタングステン等で構成（形成）されるのが好ましい。
扇状板９１および円弧状部９２のそれぞれに、このような構成材料を用いることにより、回転錘９の重心の位置は、回転錘９の回転中心（軸受９３）から円弧状部９２側へ離れた箇所となる。これにより、回転錘９が遠心力を得るのが容易となり、駆動エネルギを容易に（確実に）蓄積する（得る）ことができる。
【００２１】
図３（Ｂ）に示すように、円弧状部９２の外面９２２には、テーパ面９２１が形成されている。これにより、回転錘９（時計１）の審美性が向上する。
図３に示すように、円弧状部９２（回転錘９）の外面９２２には、円板状の複数（本実施形態では、７つ）の回転錘装飾部（第１の装飾部）１０が配置されている。これらの回転錘装飾部１０は、円弧状部９２の周方向に沿って等間隔に設けられている。
【００２２】
このように、各回転錘装飾部１０が円弧状部９２に設けられていることにより、各回転錘装飾部１０は、裏板６を介して視認される（図４参照）。
図２に示すように、各回転錘装飾部１０は、円弧状部９２とは別部材（別体）により構成（形成）され、円弧状部９２の外面９２２から突出している。
また、図３に示すように、各回転錘装飾部１０は、接着剤１５によって、円弧状部９２の外面９２２に接着（固着）されている。これにより、回転錘９の肌面（例えば焼結等で成形される円弧状部９２の肌面（外面９２２））を各回転錘装飾部１０によって隠すことができ、よって、時計１の審美性を向上することができる。
【００２３】
なお、回転錘装飾部１０の厚さと接着剤１５の厚さとの総厚（図２中のｔで示す長さ）は、円弧状部９２の外面９２２と裏板６の内面６１との距離（図２中のｈで示す長さ）より若干小さいのが好ましい。これにより、裏板６の内面６１側の段差部８２で囲まれる空間５２内に回転錘装飾部１０が入り込む（位置する）ことができ、よって、空間５２をより有効に利用することができる。
【００２４】
また、回転錘装飾部１０が円弧状部９２の外面９２２から突出していることにより、当該回転錘装飾部１０を立体的に視認することができ、よって、時計１の審美性を向上させることができる。
さらに、回転錘装飾部１０を設けることにより、回転錘９の外面９２２と裏板６の内面６１との距離を小さくすることができるため、落下衝撃などで時計１に衝撃が加わった場合の回転錘９の変形や、軸受９３の破損などを防止することができる。
【００２５】
各回転錘装飾部１０は、板状の本体１０２と、加工部１０３とで構成されている。加工部１０３は、本体１０２に加工を施すことより形成される部位である。
なお、本体１０２の構成材料としては、特に限定されないが、例えば、金属、プラスチック、貝殻、ガラス、木材および紙のいずれかの材料が挙げられる。これにより、本体１０２を容易に形成することができる。
【００２６】
なお、発電能力向上の観点からは、比較的比重の大きい材料によって構成されることがより好ましい。これにより、片重り量を大きくして、駆動エネルギをより容易に（確実に）蓄積する（得る）ことができる。
また、審美性の観点からは、他の部材（例えば、外装部２の構成材料）の質感との調和が考慮されて適切な材料によって構成されることがより好ましい。これにより、本体１０２自体の審美性を向上させて時計１の審美性をより向上させることができるとともに、顧客の時計１のデザインに関する要望に対応することができる。
【００２７】
また、加工部１０３の加工方法としては、特に限定されないが、例えば、エッチング、レーザ、彫刻、印刷、蒸着またはシート状体の貼付のいずれかの方法が挙げられる。これにより、加工部１０３を容易に加工（形成）することができる。
また、図４に示すように、加工部１０３には、アルファベット（文字）の「Ａ」が形成さている。これにより、時計１の審美性をより向上させることができる。
【００２８】
ここで、本体１０２の前記各構成材料と、加工部１０３の前記各加工方法との組み合わせ例について、図５〜図１０を参照して説明する。
［１］例１
図５に示す回転錘装飾部１０では、本体１０２がガラスで構成され、加工部１０３が印刷により形成（加工）されている。
【００２９】
また、加工部１０３は、２箇所に印刷されている。一方の加工部１０３は、本体１０２の外面１０２ａに印刷され、他方の加工部１０３は、本体１０２の内面１０２ｂに印刷されている。
このような構成の回転錘装飾部１０により、各加工部１０３に奥行きを担持させることができ、よって、回転錘装飾部１０をより立体的に視認することができる。これにより、時計１の審美性をより向上させることができる。
【００３０】
［２］例２
図６に示す回転錘装飾部１０では、本体１０２が貝殻で構成され、加工部１０３がシート状体の貼付（粘着）により構成されている。これにより、回転錘装飾部１０を容易に形成することができる。また、時計１の審美性をより向上させることができる。
なお、接着剤１５には、裏打ちとしての塗装（印刷）が施されていてもよい。ここで、「裏打ち」とは、本体１０２が鮮明に視認されるように作用することである。
【００３１】
［３］例３
図７に示す回転錘装飾部１０では、本体１０２がステンレス鋼で構成され、加工部１０３がレーザにより加工された凹部で構成されている。また、本体１０２（加工部１０３を含む）を、例えば金メッキ１０４で被覆してもよい。
このような構成の回転錘装飾部１０により、回転錘装飾部１０を容易に形成することができる。また、時計１の審美性をより向上させることができる。
【００３２】
［４］例４
図８に示す回転錘装飾部１０では、本体１０２がステンレス鋼で構成されている。加工部１０３は、エッチングまたは彫刻により加工された凹部１０５と、この凹部１０５に充填された着色剤１０６とで構成されている。
このような構成の回転錘装飾部１０により、回転錘装飾部１０を容易に形成することができる。また、時計１の審美性をより向上させることができる。
【００３３】
［５］例５
図９に示す回転錘装飾部１０では、本体１０２が木材で構成され、加工部１０３がシート状体の貼付により構成されている。これにより、回転錘装飾部１０を容易に形成することができる。また、時計１の審美性をより向上させることができる。
なお、本体１０２は、木材で構成されているのに限定されず、例えば、プラスチック、紙で構成されていてもよい。
【００３４】
［６］例６
図１０に示す回転錘装飾部１０では、本体１０２がアルミニウムで構成され、加工部１０３がアルマイト処理（蒸着）されたアルマイト部で構成されている。これにより、回転錘装飾部１０を容易に形成することができる。また、時計１の審美性をより向上させることができる。
【００３５】
以上のような構成の回転錘装飾部１０は、回転錘９の回転とともに、空間５２内を回転する。これにより、時計１では、空間５２を有効に利用することができる。また、回転する回転錘装飾部１０により、時計１の審美性を向上させることができる。
また、回転錘装飾部１０が空間５２に入り込んでいることにより、時計１の総厚が大きくなる（厚くなる）のを抑制（防止）することができる、すなわち、時計１の総厚を小さくすることができるという利点がある。
【００３６】
また、複数の回転錘装飾部１０は、それぞれの厚さがほぼ同等であるのに限定されず、それぞれ、異なる厚さであってもよい。これにより、立体感の異なる回転錘装飾部１０が形成され、よって、時計１の審美性を向上させることができる。
また、加工部１０３の文字としては、アルファベット１文字であるのに限定されず、例えば、時計１のシリアル番号（製造番号）、ブランド名（メーカ名）、所有者のイニシャル、時計１の仕様（例えば、防水性を有しているか否か）等のような文字群であってもよい。
【００３７】
＜第２実施形態＞
図１１は、本発明の時計の第２実施形態を示す断面図、図１２および図１３は、それぞれ、図１１に示す腕時計を時計用裏蓋側から眺めた図（下面図）である。
以下、これらの図を参照して本発明の時計の第２実施形態について説明するが、前述した実施形態との相違点を中心に説明し、同様の事項はその説明を省略する。
【００３８】
本実施形態は、裏板装飾部（第２の装飾部）が設けられたこと以外は前記第１実施形態と同様である。
図１１に示すように、裏板６の内面６１側には、裏板６を介して視認される裏板装飾部（第２の装飾部）７が設けられている。この裏板装飾部７は、裏板６の内面６１の中央部に形成されており、空間５２内に位置している。
ここで、裏板装飾部７の構成例について、図１２および図１３を参照して説明する。
【００３９】
［１］構成例１
図１２に示す裏板装飾部７は、円板で構成されている。また、裏板装飾部７を介しては、回転錘９が視認され難くなっている。
このような構成の裏板装飾部７により、回転錘装飾部１０は、裏板６と裏板装飾部７と段差部８２とで囲まれたリング状の空間５２１を回転することとなる。従って、回転する回転錘装飾部１０と、裏板装飾部７とにより、時計１の装飾性（審美性）がより向上する。
【００４０】
また、裏板装飾部７により、回転する回転錘９の視認が困難となるが、回転錘装飾部１０が回転するのが視認されるため、回転錘９の回転を確認することができる。
さらに、裏板装飾部７を設けることにより、回転錘９の軸受９３と裏板６の内面６１との距離を小さくすることができるため、落下衝撃などで時計１に衝撃が加わった場合の回転錘９の変形や、軸受９３の破損などを防止することができる。
【００４１】
［２］構成例２
図１３に示す裏板装飾部７は、放射状に形成された複数の線状体で構成されている。これにより、回転する回転錘装飾部１０と、裏板装飾部７とにより、時計１の装飾性（審美性）がより向上する。
また、本構成例では、前記［１］の構成例と異なり、回転錘９を視認することができ、よって、回転する回転錘９を確実に確認することができる。
【００４２】
このような裏板装飾部７が設けられていることにより、空間５２をより有効に利用することができる。また、時計１の審美性をより向上させることができる。
なお、裏板装飾部７の形成方法としては、特に限定されず、例えば、板状体（例えば、ガラス板等）の貼付（接着）、蒸着、印刷等が挙げられる。
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
【００４３】
また、ムーブメント（腕時計）は、機械式であるのに限定されず、例えば、クオーツ式でもよい。
また、回転錘は、互いに構成材料が異なる２つの部位（部材）で構成されているのに限定されず、例えば、これらの２つの部位を一体的に形成してもよい。
また、回転錘装飾部の設置数は、７つであるのに限定されず、例えば、１つ〜６つ、８つ以上であってもよい。
【００４４】
また、時計の好ましい形態としては、腕時計であるのに限定されず、例えば、懐中時計であってもよい。
また、回転錘装飾部の回転錘への固着方法としては、接着（接着剤や溶媒による接着）であるのに限定されず、例えば、両面粘着テープによる粘着、溶着、嵌合、かしめ等であってもよい。
【００４５】
また、回転錘装飾部は、別体を回転錘に設ける（固着する）ことにより形成されるのに限定されず、例えば、回転錘と一体的に設けてもよい。
また、回転錘装飾部は、回転錘の外面から突出して形成されているのに限定されず、回転錘の外面より内側に形成されていてもよい。
また、回転錘装飾部は、回転錘の外面の一部に設けられているのに限定されず、回転錘の外面の全面に設けられていてもよい。
【００４６】
また、加工部には、文字が形成されているのに限定されず、例えば、記号、図形（模様）等が形成されていてもよい。
また、裏板は、その内面または外面が図示のように平面であるのに限定されず、例えば、湾曲凹面または湾曲凸面であってもよい。これにより、裏板にレンズとしての機能を持たせることができる。
【００４７】
また、このとき、裏板におけるレンズの機能を有する箇所は、裏板のほぼ全面にわたって設けられていてもよいし、裏板に部分的に設けられていてもよい。レンズの機能を有する箇所が裏板に部分的に設けられている場合、その箇所は、例えば、回転錘の回転錘装飾部に対応する箇所とすることができる。
また、裏板は、その全体が透明である場合に限定されず、部分的に透明であってもよい。裏板が部分的に透明である場合、その透明な部分（箇所）は、例えば、回転錘の回転錘装飾部に対応する箇所とすることができる。また、裏板が部分的に透明であるとき、それ以外の部分は、例えば、不透明または半透明であってもよい。
【図面の簡単な説明】
【００４８】
【図１】本発明の時計（第１実施形態）を適用した腕時計の斜視図である。
【図２】図１中のＡ−Ａ線断面図である。
【図３】図２に示す回転錘の斜視図および当該斜視図中のＢ−Ｂ線断面図である。
【図４】図１に示す腕時計を時計用裏蓋側から眺めた図（下面図）である。
【図５】図３（Ｂ）中の二点鎖線で囲まれた領域［Ａ］の拡大詳細図（装飾部の構成例を示す断面図）である。
【図６】図３（Ｂ）中の二点鎖線で囲まれた領域［Ａ］の拡大詳細図（装飾部の構成例を示す断面図）である。
【図７】図３（Ｂ）中の二点鎖線で囲まれた領域［Ａ］の拡大詳細図（装飾部の構成例を示す断面図）である。
【図８】図３（Ｂ）中の二点鎖線で囲まれた領域［Ａ］の拡大詳細図（装飾部の構成例を示す断面図）である。
【図９】図３（Ｂ）中の二点鎖線で囲まれた領域［Ａ］の拡大詳細図（装飾部の構成例を示す断面図）である。
【図１０】図３（Ｂ）中の二点鎖線で囲まれた領域［Ａ］の拡大詳細図（装飾部の構成例を示す断面図）である。
【図１１】本発明の時計の第２実施形態を示す断面図である。
【図１２】図１１に示す腕時計を時計用裏蓋側から眺めた図（下面図）である。
【図１３】図１１に示す腕時計を時計用裏蓋側から眺めた図（下面図）である。
【図１４】従来の回転錘を備える時計の断面図である。
【符号の説明】
【００４９】
１……時計（腕時計）  １５……接着剤  ２……外装部  ２１……ガラス板（カバーガラス）  ２２……ベゼル  ２３……胴部  ２４……りゅうず  ２５……中枠  ２６……巻真パイプ  ２７……シャフト  ２８、２９、５１……プラスチックパッキン  ３……ムーブメント  ３１……時計用針  ３２……回転軸  ４……バンド  ５……裏蓋（時計用裏蓋）  ５０……接合部（シール部）  ５２、５０１、５２１……空間  ６……裏板  ６１……内面  ７……裏板装飾部  ８……保持枠（裏板保持枠）  ８１……内周部  ８１１……内周  ８２……段差部  ９……回転錘  ９１……扇状板  ９２……円弧状部  ９２１……テーパ面  ９２２……外面  ９３……軸受  １０……回転錘装飾部  １０２……本体  １０２ａ……外面  １０２ｂ……内面  １０３……加工部  １０４……金メッキ  １０５……凹部  １０６……着色剤
【図１】
2006038713.tif 000003
【図２】
2006038713.tif 000004
【図３】
2006038713.tif 000005
【図４】
2006038713.tif 000006
【図５】
2006038713.tif 000007
【図６】
2006038713.tif 000008
【図７】
2006038713.tif 000009
【図８】
2006038713.tif 000010
【図９】
2006038713.tif 000011
【図１０】
2006038713.tif 000012
【図１１】
2006038713.tif 000013
【図１２】
2006038713.tif 000014
【図１３】
2006038713.tif 000015
【図１４】
2006038713.tif 000016